(57)【要約】【課題】  放電灯のフィラメントロスを低減して非常時に放電灯を長時間点灯できる放電灯点灯装置を提供することである。【解決手段】  通常時には、交流電源を整流して直流を得る整流器１３で得られた直流電圧を昇圧回路１４で昇圧し、インバータ回路１５は昇圧された電圧を高周波電圧に変換する。非常用電源充電回路１８は整流器１３で得られた直流電力を非常用電源１９に充電する。非常用電源昇圧回路２０は、非常時に非常用電源１９の電圧を昇圧して昇圧回路１４の前段に出力する。点灯制御部２５は、通常時は昇圧回路１４で昇圧された電圧を高周波電圧に変換し、フィラメント予熱をしながら放電灯を高周波点灯する通常点灯動作を行い、非常時には非常用電源昇圧回路２０からの電圧を昇圧回路１４で昇圧して高周波電圧に変換し、フィラメント予熱を停止またはフィラメントに流す電流を減少させて、放電灯１７を高周波点灯する非常点灯動作を行う。【選択図】  図１
2007048657.tif 000002
【特許請求の範囲】
【請求項１】
通常時は交流電源を整流して得られた直流を高周波変換しフィラメントを有する放電灯を高周波点灯する常用点灯装置と、通常時は交流電源を整流して非常用電源を充電するとともに非常時は非常用電源を電源として放電灯を非常点灯させる非常用点灯装置とを一体的に形成した放電灯点灯装置であって、
前記交流電源を整流して直流を得る整流器と；
前記整流器で得られた直流電圧を昇圧する昇圧回路と；
前記昇圧回路で昇圧された電圧を高周波電圧に変換し放電灯を高周波点灯するインバータ回路と；
前記整流器で得られた直流電力を非常用電源に充電する非常用電源充電回路と；
非常時に前記非常用電源の電圧を昇圧して前記インバータ回路に出力する非常用電源昇圧回路と；
通常時はフィラメントに電流を流してフィラメント予熱をしながら前記昇圧回路で昇圧された前記整流器からの直流電圧を高周波電圧に変換し放電灯を高周波点灯する通常点灯動作を行い、非常時にはフィラメント予熱を停止またはフィラメントに流す電流を減少させて、前記非常用電源昇圧回路からの電圧を高周波電圧に変換し放電灯を高周波点灯する非常点灯動作を行う点灯制御部と；
を備えたことを特徴とする放電灯点灯装置。
【請求項２】
通常時は交流電源を整流して得られた直流を高周波変換し放電灯を高周波点灯する常用点灯装置と、通常時は交流電源を整流して非常用電源を充電するとともに非常時は非常用電源を電源として放電灯を非常点灯させる非常用点灯装置とを一体的に形成した放電灯点灯装置であって、
前記交流電源を整流して直流を得る整流器と；
前記整流器で得られた直流電圧を昇圧する昇圧回路と；
前記昇圧回路で昇圧された電圧を高周波電圧に変換し放電灯を高周波点灯するインバータ回路と；
前記整流器で得られた直流電力を非常用電源に充電する非常用電源充電回路と；
非常時に前記非常用電源の電圧を昇圧して前記インバータ回路に出力する非常用電源昇圧回路と；
通常時は放電灯寿命末期時の安全回路または放電灯の装着検出回路の動作を許可し、前記昇圧回路で昇圧された前記整流器からの直流電圧を高周波電圧に変換し放電灯を高周波点灯する通常点灯動作を行い、非常時には安全回路または装着検出回路の動作を禁止し、前記非常用電源昇圧回路からの電圧を高周波電圧に変換し放電灯を高周波点灯する非常点灯動作を行う点灯制御部と；
を備えたことを特徴とする放電灯点灯装置。
【請求項３】
前記点灯制御部は、放電灯の安全回路または装着検出回路の動作を禁止することに代えて、安全回路または装着検出回路の動作する制限値を大きくしたことを特徴とする請求項２記載の放電灯点灯装置。
【発明の詳細な説明】
【技術分野】
【０００１】
本発明は、通常時は交流電源で放電灯を点灯させる常用点灯装置と、交流電源の停電時には非常用電源で放電灯を点灯させる非常用点灯装置とを一体的に形成した放電灯点灯装置に関する。
【背景技術】
【０００２】
通常時においては放電灯を常用点灯装置で点灯しつつ非常用電源に充電し、商用の交流電源が停電となった場合には、非常用点灯装置で非常用電源からの電源により放電灯を非常灯として点灯させる照明器具がある。このような照明器具では、常用点灯装置と非常用点灯装置とを照明器具内に別々に搭載している。常用点灯装置および非常用点灯装置が個別に装備されているので、構成部品の中に重複するものが多く、部品コストの上昇を招くと共に器具組立にも手数がかかる。そこで、常用点灯装置および非常用点灯装置の構成部品の重複するものを少なくし、部品コストを低減するできるようにしたものがある（特許文献１参照）。
【特許文献１】特開２００５−３８７５４号公報
【発明の開示】
【発明が解決しようとする課題】
【０００３】
しかし、常用点灯装置と非常用点灯装置とを一体形とし常用点灯装置と非常用点灯装置との構成分品を単に共用すると、通常点灯時にフィラメント予熱する場合には、非常点灯時においてもフィラメントの予熱をすることになり、非常点灯時においても通常点灯時のようにフィラメントロスが生じることになるので、非常点灯時間を短くすることになって好ましいことではない。
【０００４】
また、常用点灯装置には、放電灯が異常の場合に放電灯の点灯制御を停止する安全回路や、放電灯が未装着状態では点灯制御を停止する装着検出回路が設けられているが、非常点灯時には放電灯が点灯することが優先されるので、これら回路の動作により非常点灯ができなくなってしまうことは好ましいことではない。
【０００５】
本発明の目的は、通常点灯時と非常点灯時との動作を異ならせることで、非常点灯動作を良好に行うことができる放電灯点灯装置を提供することである。
【課題を解決するための手段】
【０００６】
請求項１の発明に係わる放電灯点灯装置は、通常時は交流電源を整流して得られた直流を高周波変換しフィラメントを有する放電灯を高周波点灯する常用点灯装置と、通常時は交流電源を整流して非常用電源を充電するとともに非常時は非常用電源を電源として放電灯を非常点灯させる非常用点灯装置とを一体的に形成した放電灯点灯装置であって、前記交流電源を整流して直流を得る整流器と；前記整流器で得られた直流電圧を昇圧する昇圧回路と；前記昇圧回路で昇圧された電圧を高周波電圧に変換し放電灯を高周波点灯するインバータ回路と；前記整流器で得られた直流電力を非常用電源に充電する非常用電源充電回路と；非常時に前記非常用電源の電圧を昇圧して前記インバータ回路に出力する非常用電源昇圧回路と；通常時はフィラメントに電流を流してフィラメント予熱をしながら前記昇圧回路で昇圧された前記整流器からの直流電圧を高周波電圧に変換し放電灯を高周波点灯する通常点灯動作を行い、非常時にはフィラメント予熱を停止またはフィラメントに流す電流を減少させて、前記非常用電源昇圧回路からの電圧を高周波電圧に変換し放電灯を高周波点灯する非常点灯動作を行う点灯制御部と；
を備えたことを特徴とする。
【０００７】
本発明および以下の発明において、特に指定しない限り用語の定義や技術的意味は以下による。
【０００８】
放電灯点灯装置は、通常時は交流電源で放電灯を点灯させる常用点灯装置と、交流電源の停電時には非常用電源で放電灯を点灯させる非常用点灯装置とを、一部の構成回路を共用して一体的に形成したものである。
【０００９】
常用点灯装置は、少なくとも、交流電源を整流して直流を得る整流器と、整流器で得られた直流電圧を昇圧する昇圧回路と、昇圧回路で昇圧された電圧を高周波電圧に変換し放電灯を高周波点灯するインバータ回路とを有し、非常用点灯装置は、少なくとも、整流器で得られた直流電力を非常用電源に充電する非常用電源充電回路と、交流電源喪失の非常時に非常用電源の電圧を昇圧する非常用電源昇圧回路とを有する。
【００１０】
非常用電源は、例えば、ニッケル−カドニウムまたはニッケル−水素からなるバッテリや、電気二重層コンデンサ等であって、非常時に放電灯を点灯するための電源となるものであればよい。
【００１１】
常用点灯装置の整流器で得られた直流電力を非常用点灯装置の非常用電源に充電することから、非常用点灯装置では直流電力を得る整流器を共用している。また、非常用点灯装置の非常用電源昇圧回路の出力をインバータ回路を用いて非常点灯動作を行うことになり、常用点灯装置のインバータ回路を共用している。従って、回路構成を簡素化できる。
【００１２】
点灯制御部は、共用された常用点灯装置の昇圧回路およびインバータ回路を制御する。通常時の通常点灯動作は、フィラメント予熱をしながら、昇圧回路で昇圧された整流器からの直流電圧を高周波電圧に変換し放電灯を高周波点灯する。非常時の非常点灯動作は、フィラメント予熱を停止またはフィラメントに流す電流を減少させて、非常用電源昇圧回路からの電圧を昇圧回路で昇圧して高周波電圧に変換し放電灯を高周波点灯する。
【００１３】
請求項２の発明に係わる放電灯点灯装置は、通常時は交流電源を整流して得られた直流を高周波変換し放電灯を高周波点灯する常用点灯装置と、通常時は交流電源を整流して非常用電源を充電するとともに非常時は非常用電源を電源として放電灯を非常点灯させる非常用点灯装置とを一体的に形成した放電灯点灯装置であって、前記交流電源を整流して直流を得る整流器と；前記整流器で得られた直流電圧を昇圧する昇圧回路と；前記昇圧回路で昇圧された電圧を高周波電圧に変換し放電灯を高周波点灯するインバータ回路と；前記整流器で得られた直流電力を非常用電源に充電する非常用電源充電回路と；非常時に前記非常用電源の電圧を昇圧して前記インバータ回路に出力する非常用電源昇圧回路と；通常時は放電灯寿命末期時の安全回路または放電灯の装着検出回路の動作を許可し、前記昇圧回路で昇圧された前記整流器からの直流電圧を高周波電圧に変換し放電灯を高周波点灯する通常点灯動作を行い、非常時には安全回路または装着検出回路の動作を禁止し、前記非常用電源昇圧回路からの電圧を高周波電圧に変換し放電灯を高周波点灯する非常点灯動作を行う点灯制御部と；を備えたことを特徴とする。
【００１４】
本発明は、通常時は放電灯寿命末期時の安全回路または放電灯の装着検出回路の動作を許可し、非常時には安全回路または装着検出回路の動作を禁止するようにしたものである。非常時には放電灯が異常となっても可能な限り放電灯の点灯を継続することが望ましい。通常時においては、放電灯のランプ電圧または半波電圧が所定値以上となると安全回路が働き点灯動作を停止させるが、非常時には安全回路の動作を禁止し、放電灯のランプ電圧または半波電圧が所定値以上となっても放電灯の点灯動作を継続し放電灯を点灯させる。また、放電灯のフィラメントが切断されたときまたはフィラメントが検出されないとき、装着検出回路が働き点灯動作を停止させるが、非常時には装着検出回路の動作を禁止し、仮りに放電灯のフィラメントの片側が切断されても放電灯の高周波点灯動作を継続させ放電灯を強制的に点灯させる。これにより、非常時には、可能な限り放電灯の点灯を継続できるようにする。
【００１５】
請求項３の発明に係わる放電灯点灯装置は、請求項２の発明において、前記点灯制御部は、放電灯の安全回路または装着検出回路の動作を禁止することに代えて、安全回路または装着検出回路の動作する制限値を大きくしたことを特徴とする。
【００１６】
放電灯のランプ電圧が所定値以上の状態で所定時間以上に亘り点灯動作が継続する場合、放電灯だけでなく装置にとっても好ましい状態ではない。一方、非常時においては可能な限り放電灯の点灯を継続できるようにすることが望ましい。そこで、これらの双方を満たすように、非常時には安全回路または装着検出回路の動作する制限値を常用時と比較して大きくし、非常時には放電灯がなるべく消灯しないようにしつつ、危険な状態での点灯動作を停止できるようにした。
【００１７】
安全回路または装着検出回路の動作する制限値を大きくすることには、安全回路または装着検出回路の動作する時間を遅延させることも含まれる。通常時には安全回路や装着検出器が動作すると放電灯の点灯動作は即座に停止するが、非常時には放電灯の点灯動作を所定時間だけ許容し、その所定時間の経過後に点灯動作を停止するようにしてもよい。
【発明の効果】
【００１８】
請求項１の発明によれば、通常時はフィラメント予熱をしながら放電灯を高周波点灯する通常点灯動作を行い、非常時にはフィラメント予熱を停止またはフィラメントに流す電流を減少させて、放電灯を高周波点灯する非常点灯動作を行うので、非常時にはフィラメント電流がカットまたは減少する。従って、フィラメントロスが減り非常時には非常用電源による放電灯の長時間点灯が可能となる。
【００１９】
請求項２の発明によれば、通常時は放電灯の寿命末期時の安全回路または放電灯の装着検出回路の動作を許可し、放電灯を高周波点灯する通常点灯動作を行い、非常時には放電灯の安全回路または放電灯の装着検出回路の動作を禁止し、放電灯を高周波点灯する非常点灯動作を行うので、非常時には放電灯が異常となっても可能な限り放電灯を点灯できる。
【００２０】
請求項３の発明によれば、安全回路または装着検出回路の動作を禁止するのではなく、安全回路の動作する制限値を大きくするので、放電灯が点灯しない異常状態の場合の点灯制御部の異常動作を抑制できる。
【発明を実施するための最良の形態】
【００２１】
（第１の実施の形態）
図１は本発明の第１の実施の形態に係わる放電灯点灯装置の回路構成図である。交流電源１１は常用点灯装置の雑防回路１２を介して整流器１３に入力される。整流回路１３で整流された直流電圧は昇圧回路１４で昇圧され、インバータ回路１５に入力される。インバータ回路１５は昇圧回路１４で昇圧された電圧を高周波電圧に変換し、負荷回路１６の放電灯１７に供給し高周波点灯する。一方、整流器１３で得られた直流は非常用電源充電回路１８に入力され、直流電力を非常用電源１９に充電する。また、非常用電源昇圧回路２０は交流電源１１の喪失等の非常時に非常用電源１９の電圧を昇圧して昇圧回路１４の前段に出力するように接続されている。
【００２２】
雑防回路１２、整流器１３、昇圧回路１４、インバータ回路１５、負荷回路１６により、放電灯１７の通常点灯動作を行う常用点灯装置を形成しており、雑防回路１２、整流器１３、非常用電源充電回路１８、非常用電源昇圧回路２０により、放電灯１７の非常点灯動作を行う非常用点灯装置を形成している。雑防回路１２および整流器１３は、常用点灯装置と非常用点灯装置とで共用している。また、非常用電源昇圧回路２０の出力を昇圧回路１４の前段に接続し、非常時においても、昇圧回路１４、インバータ回路１５、負荷回路１６を使用して放電灯１７を非常時点灯動作させる。従って、昇圧回路１４、インバータ回路１５、負荷回路１６も共用している。しかも、これらは一体的に形成されている。
【００２３】
なお、図１では放電灯１７が１個である場合について示しているが、放電灯が２個である２灯用の放電灯点灯装置にも適用できる。以下の説明では、放電灯１７が１個である１灯用の場合について説明する。
【００２４】
壁切りスイッチ部２１はスイッチ２２がオンしたときに導通するフォトダイオード２３を有し、フォトダイオード２３の導通によりフォトトランジスタ２４が動作し点灯制御部２５を動作させる。スイッチ２２をオフしたときはフォトダイオード２３が非導通となるので、フォトトランジスタ２４が不動作となり点灯制御部２５の放電灯点灯回路部を不動作とする。なお、スイッチ２２がオフであったとしても、雑防回路１２および整流器１３は動作しており、整流回路１３は非常用電源充電回路１８に直流電圧を印加している。従って、スイッチ２２がオフで点灯制御部２５の放電灯点灯回路部が不動作状態であり、放電灯１９が消灯していても、非常用電源充電回路１８を動作させて非常用電源１９に充電をすることは可能であり、非常時はスイッチ２２がオフでも非常点灯を行える回路構成である。
【００２５】
次に、点灯制御部２５には、フォトトランジスタ２４の動作や不動作に加え、非常用電源充電回路１８の切替回路２６の出力信号も入力される。非常用電源充電回路１８の切替回路２６は、交流電源１１の電圧が正常範囲を逸脱したか否かを監視するとともに、交流電源の電圧が所定値以下を監視し、非常点灯動作への切り替えが必要であるか否かを判定する。
【００２６】
昇圧回路１４は昇圧制御部２８によりスイッチ素子２９をオンオフ制御して入力電圧を昇圧する昇圧チョッパ回路であり、非常時調光回路３０を備えている。非常時調光回路３０のスイッチ素子Ｑ１は点灯制御部２５からの指令でオンオフ制御される。また、非常用電源昇圧回路２０は昇圧トランス３１を備えており、この昇圧トランス３１を動作させるスイッチ素子Ｑ２を備えている。非常用電源昇圧回路２０のスイッチ素子Ｑ２は点灯制御部２５からの指令でオンオフ制御される。また、点灯制御部２５および昇圧制御部２８の制御電源は、通常時にはスナバ回路３２から供給するようにしており、非常時には非常用電源昇圧回路２０の昇圧トランス３１から供給するようにしている。
【００２７】
次に、点灯制御部２５は、通常時において放電灯１７のフィラメント予熱回路３３ａ、３３ｂによりフィラメント予熱を行っている。そして、壁切りスイッチ部２１のスイッチ２２がオンであり、交流電源１１の電圧が正常範囲内であるときは、非常時調光回路３０のスイッチ素子Ｑ１をオンして調光制御を停止し、非常用電源昇圧回路２０のスイッチ素子Ｑ２をオフにして非常用電源昇圧回路２０の動作を停止する。この状態では、昇圧回路１４には整流器１３からの直流電圧が印加されている。
【００２８】
点灯制御部２５は、スイッチ素子２７ａ、２７ｂをオンオフ制御して、昇圧回路１４で昇圧された整流器１３からの直流電圧を高周波電圧に変換し、放電灯１７を高周波点灯する通常点灯動作を行う。例えば、放電灯１７の点灯周波数が負荷回路１６の無負荷時共振周波数の近傍の周波数となるように点灯制御する。これにより、通常時の放電灯１７の通常点灯状態では定電流特性を持った負荷特性となる。
【００２９】
一方、点灯制御部２５は、切替回路２６から交流電源１１の電圧が正常範囲を逸脱したことを入力すると、インバータ回路１５のスイッチ素子２７ａ、２７ｂのオンオフ動作（発振動作）を停止する。図２は切替回路２６の動作特性の説明図である。切替回路２６は交流電源１１の電圧を監視しており、交流電源１１の電圧がしきい値Ｖ１以上であるときは正常範囲内である判断する。この場合、点灯制御部２５は放電灯１７を交流電源１１からの電力で点灯する（ＡＣ点灯）。そして、交流電源１１の電圧がしきい値Ｖ１未満となると、切替回路２６は交流電源１１の電圧が正常範囲を逸脱した判断する。点灯制御部２５は発振動作を停止し放電灯１７を不点灯状態とする（不点灯）。さらに、交流電源１１の電圧が所定値Ｖ２以下となると、切替回路２６は非常点灯動作を開始すべき状態であると判断する。点灯制御部２５は停止状態から非常点灯動作に切り替える。
【００３０】
ここで、通常点灯動作（ＡＣ点灯）と非常点灯動作（ＤＣ点灯）との間で、不点灯状態を持たせているのは、交流電源１１の電圧が通常点灯動作と非常点灯動作との境界で変動したときに、通常点灯動作と非常点灯動作とが頻繁に切り替わることを避けるためである。
【００３１】
点灯制御部２５は、切替回路２６から非常点灯動作すべき状態信号を入力すると、非常時調光回路３０のスイッチ素子Ｑ１をオフとして調光制御を有効とし、非常用電源昇圧回路２０のスイッチ素子Ｑ２をオンして非常用電源昇圧回路２０の昇圧トランス３１を動作させる。この状態では、昇圧トランス３１の二次電圧が昇圧回路１４の前段に入力され、昇圧回路１４により所定電圧に昇圧される。この場合、昇圧回路１４に入力される非常用電源昇圧回路２０の出力電圧が変動したとしても、昇圧回路１４で所定値に昇圧されるので、昇圧回路１４の出力電圧はほぼ一定となり、インバータ回路１５に入力される電圧はほぼ一定となる。そして、インバータ回路１５による点灯制御により放電灯１７が点灯する。
【００３２】
点灯制御部２５は、放電灯１７が点灯した後に放電灯１７のフィラメント予熱回路３３ａ、３３ｂのフィラメント予熱を停止する。このフィラメント予熱の停止により、非常用電源１９から供給される電力はフィラメント予熱のために消費されることがなくなり、非常点灯時には放電灯１７の点灯にだけ使用される。
【００３３】
図３は、フィラメント予熱回路３３ａ、３３ｂのフィラメント予熱停止手段の一例を示す説明図である。図３に示すフィラメント予熱停止手段は、フィラメント予熱回路３３ａ、３３ｂにスイッチＳＷａ、ＳＷｂを設けて構成されている。フィラメント予熱を行うときはスイッチＳＷａ、ＳＷｂをオンとしてフィラメント電流を流し、フィラメント予熱を停止するときはスイッチＳＷａ、ＳＷｂをオフしてフィラメント電流をカットする。
【００３４】
図４は、フィラメント予熱回路３３ａ、３３ｂのフィラメント予熱停止手段の他の一例を示す説明図である。図４に示すフィラメント予熱停止手段は、インバータ回路１５のスイッチ素子２７ｂに並列に設けられたフィラメント予熱電源回路３４にスイッチＳＷ１を設けて構成される。フィラメント予熱電源回路３４のフィラメントトランスＦＴとコンデンサＣ１との直列回路にスイッチＳＷ１を直列に接続して構成される。フィラメント予熱を行うときはスイッチＳＷ１をオンとしてフィラメント電流を流し、フィラメント予熱を停止するときはスイッチＳＷ１をオフしてフィラメント電流をカットする。
【００３５】
以上の説明では、非常点灯時にフィラメント予熱を停止する場合について説明したが、フィラメント予熱を下げるようにしてもよい。図５はフィラメント予熱回路３３ａ、３３ｂのフィラメント予熱下げ手段の一例を示す説明図である。図５に示すフィラメント予熱下げ手段は、インバータ回路１５のスイッチ素子２７ｂに並列に設けられたフィラメント予熱電源回路３４のコンデンサＣ１と並列にスイッチＳＷ２とコンデンサＣ２との直列回路を設けて構成される。通常時にフィラメント予熱を行うときはスイッチＳＷ２をオンとしてフィラメント電流を流し、フィラメント予熱を下げるときはスイッチＳＷ２をオフしてフィラメント電流を減少させる。すなわち、スイッチＳＷ２のオンオフによりキャパシタンスを変化させフィラメント電流を変化させる。
【００３６】
第１の実施の形態によれば、放電点灯動作時と非常灯点灯動作時とで雑防回路１２および整流器１３を共用するので回路構成を簡素化できる。また、昇圧回路１４、インバータ回路１５、負荷回路１６も共用できる。また、非常時にはフィラメント電流をカットまたは減少させるので、フィラメントロスが減り非常時には非常用電源１９による放電灯の長時間点灯が可能となる。
【００３７】
（第２の実施の形態）
図６は本発明の第２の実施の形態に係わる放電灯点灯装置の回路構成図である。この第２の実施の形態は、図１に示した第１の実施の形態に対し、放電灯寿命末期時の安全回路３５および放電灯の装着検出回路３６を追加して設け、点灯制御部２５は、通常時は放電灯寿命末期時の安全回路３５や装着検出回路３６の動作を許可し、非常時には安全回路３５や装着検出回路３６の動作を禁止するようにしたものである。図１と同一要素には同一符号を付し重複する説明は省略する。
【００３８】
安全回路３５は放電灯１７のランプ電圧を監視し、ランプ電圧が所定値以上となると点灯制御部２５に対してランプ異常電圧が発生したことを通知する。ランプ異常電圧を検出する所定値としては放電灯寿命末期時のランプ異常電圧が設定される。点灯制御部２５は、通常運転時に安全回路３５からランプ異常電圧を入力すると放電灯１７の点灯制御動作を停止し、装置が異常動作することのないように保護する。一方、非常運転時には安全回路３５の動作を禁止し、放電灯１７のランプ電圧が異常となっても点灯制御部２５は非常時点灯動作を継続して放電灯１７を点灯維持する。従って、非常時には放電灯１７が異常となっても可能な限り放電灯１７を点灯できる。
【００３９】
また、装着検出回路３６は放電灯１７のフィラメントの状態を監視し、フィラメントが切断されたときや検出できないとき等になったとき、点灯制御部２５に対して放電灯が未装着であることを通知する。点灯制御部２５は、通常運転時に装着検出回路３６から放電灯が未装着であることを入力すると放電灯１７の点灯制御動作を停止し、装置が異常動作することのないように保護する。一方、非常運転時には装着検出回路３６の動作を禁止し、点灯制御部２５は非常時点灯動作を継続して放電灯１７を点灯維持する。従って、非常時には放電灯１７が異常となっても可能な限り放電灯１７を半波放電状態で点灯できる。
【００４０】
ここで、図６には図示を省略しているが、非常用電源１９が充電中であることを報知する表示器が設けられている。この表示器は、例えば非常用電源１９が充電中であるときは連続点灯している。安全回路２４が放電灯寿命末期を検出したときは、例えば、この表示器を点滅点灯して放電灯１７が寿命末期になったことを報知する。
【００４１】
以上の説明では、非常時には安全回路３５や装着検出回路３６の動作を禁止するようにしたが、安全回路３５や装着検出回路３６の動作する制限値を通常時と比較して大きくし、安全回路３５や装着検出回路３６が動作する動作領域を狭くするようにしてよい。これにより、非常時において放電灯１７を点灯する範囲が広くなる。この場合においても、充電中を表示する表示器に、安全回路３５や装着検出回路３６の動作する制限値が通常時より大きくなったこと（異常状態となったこと）を表示することも可能である。例えば、点滅を早めた表示あるいは表示色を変えた表示等で識別表示する。
【００４２】
また、以上の説明では、非常時には安全回路３５や装着検出回路３６の動作を禁止するようにしたが、通常時と同様に安全回路３５や装着検出回路３６を動作させるようにしてもよい。
【００４３】
第２の実施の形態によれば、非常時には安全回路３５や装着検出回路３６の動作を禁止または動作範囲を狭くするので、非常時には極力放電灯１７を点灯継続することができる。また、通常時と同様に安全回路３５や装着検出回路３６を動作させて保護動作を優先させることもできる。
【図面の簡単な説明】
【００４４】
【図１】本発明の第１の実施の形態に係わる放電灯点灯装置の回路構成図。
【図２】本発明の第１の実施の形態における非常用電源充電回路の切替回路の動作特性の説明図。
【図３】本発明の第１の実施の形態におけるフィラメント予熱回路のフィラメント予熱停止手段の一例を示す説明図。
【図４】本発明の第１の実施の形態におけるフィラメント予熱回路のフィラメント予熱停止手段の他の一例を示す説明図。
【図５】本発明の第１の実施の形態におけるフィラメント予熱回路のフィラメント予熱下げ手段の一例を示す説明図。
【図６】本発明の第２の実施の形態に係わる放電灯点灯装置の回路構成図。
【符号の説明】
【００４５】
１１…交流電源、１２…雑防回路、１３…整流器、１４…昇圧回路、１５…インバータ回路、１６…負荷回路、１７…放電灯、１８…非常用電源充電回路、１９…非常用電源、２０…非常用電源昇圧回路、２１…壁切りスイッチ部、２２…スイッチ、２３…フォトダイオード、２４…フォトトランジスタ、２５…点灯制御部、２６…切替回路、２７…スイッチ素子、２８…昇圧制御部、２９…スイッチ素子、３０…非常時調光回路、３１…昇圧トランス、３２…スナバ回路、３３…フィラメント予熱回路、３４…フィラメント予熱電源回路、３５…安全回路、３６…装着検出回路
【図１】
2007048657.tif 000003
【図２】
2007048657.tif 000004
【図３】
2007048657.tif 000005
【図４】
2007048657.tif 000006
【図５】
2007048657.tif 000007
【図６】
2007048657.tif 000008